(57)【特許請求の範囲】
【請求項１】
第１方向及び第１方向に直交する第２方向に広がる天板であって
裏面に凹状の第１空間が画成された第１天板、
前記第１天板に対して前記第１方向に並ぶように配置された第２天板であって、裏面に凹状の第２空間が画成された第２天板、及び
前記第１天板及び前記第２天板を、互いの裏面同士が近づくように回動可能に連結する蝶番を有する天板と、
前記天板の裏面の、前記第２方向の一端に設けられた第１脚部であって、前記第１天板の裏面に配置された第１脚及び前記第２天板の裏面に配置された第２脚を有する第１脚部と、
前記第１天板及び前記第２天板の前記裏面の、前記第２方向の前記一端に設けられた第１スライドレールであって、前記第１方向に延在し、前記第２脚を、前記第１天板の裏面までスライド移動可能に支持する第１スライドレールと、
前記天板の裏面の、前記第２方向の他端に設けられた第２脚部であって、前記第１天板の裏面に配置された第３脚及び前記第２天板の裏面に配置された第４脚を有する第２脚部と、
前記第１天板及び前記第２天板の前記裏面の、前記第２方向の前記他端に設けられた第２スライドレールであって、前記第１方向に延在し、前記第３脚を、前記第２天板の裏面までスライド移動可能に支持する第２スライドレールと、を備え、
前記第１脚及び前記第２脚は、前記第１天板の裏面に位置した状態で、前記第１天板の前記第１空間に収容可能に構成され、
前記第３脚及び前記第４脚は、前記第２天板の裏面に位置した状態で、前記第２天板の前記第２空間に収容可能に構成され、
前記天板は、前記第１脚及び前記第２脚が前記第１天板の前記第１空間に収容され、且つ、前記第３脚及び前記第４脚が前記第２天板の前記第２空間に収容された状態で、前記第１天板及び前記第２天板を互いの前記裏面が近づくように回動可能に構成されていることを特徴とする折りたたみ式足場台。
【請求項２】
前記第１脚と前記第２脚との間には、前記第１方向に延在する第１踏ざんが配置され、
前記第１踏ざんは、前記第１脚に対して回動可能に支持され、且つ、前記第２脚に対して、前記第２脚の延在方向にスライド移動可能に支持されていることを特徴とする請求項１に記載の折りたたみ式足場台。
【請求項３】
前記第１踏ざんは、第１踏ざんＡと第１踏ざんＢとを有し、
前記第２脚は、
前記第２脚の延在方向に延在して、前記第１踏ざんＡの前記第１方向の前記第２脚に近い側の端部を前記第２脚の延在方向にスライド移動可能にガイドする第１ガイドレールＡと、
前記第２脚の延在方向に延在して、前記第１踏ざんＢの前記第１方向の前記第２脚側の端部を前記第２脚の延在方向にスライド移動可能にガイドする第１ガイドレールＢとを有し、
前記第１ガイドレールＡと、前記第１ガイドレールＢとは、前記第１方向において異なる位置に配置されていることを特徴とする請求項２に記載の折りたたみ式足場台。
【請求項４】
前記第３脚と前記第４脚との間には、前記第１方向に延在する第２踏ざんが配置され、
前記第２踏ざんは、前記第４脚に対して回動可能に支持され、且つ、前記第３脚に対して、前記第３脚の延在方向にスライド移動可能に支持されている請求項２又は３に記載の折りたたみ式足場台。
【請求項５】
前記第２踏ざんは、第２踏ざんＡと第２踏ざんＢとを有し、
前記第３脚は、
前記第３脚の延在方向に延在し、第２踏ざんＡの前記第１方向の前記第３脚に近い側の端部を前記第３脚の延在方向にスライド移動可能にガイドする第２ガイドレールＡと、
前記第３脚の延在方向に延在し、第２踏ざんＢの前記第１方向の前記第３脚に近い側の端部を前記第３脚の延在方向にスライド移動可能にガイドする第２ガイドレールＢとを有し、
前記第２ガイドレールＡと、前記第２ガイドレールＢとは、前記第１方向において異なる位置に配置されていることを特徴とする請求項４に記載の折りたたみ式足場台。
【請求項６】
前記第１天板は、
裏面に凹状の空間が画成された第１天板Ａと、
前記第１方向に関して前記第１天板Ａと前記第２天板との間に配置された第１天板Ｂであって、裏面に凹状の空間が画成された第１天板Ｂと、
前記第１天板Ａ及び前記第１天板Ｂを、互いの裏面同士が近づくように回動可能に連結する別の蝶番とを有し、
前記第１スライドレールは、前記第２脚を前記第１天板Ａの裏面までスライド移動可能に支持していることを特徴とする請求項１〜５のいずれか一項に記載の折りたたみ式足場台。
【発明の詳細な説明】
【技術分野】
【０００１】
本発明は、折りたたみ式足場台に関する。
【背景技術】
【０００２】
従来、折りたたみ式足場台として、板状の天板に重なるように折りたたみ可能な１対の梯子状支持脚を有する足場台が知られている（例えば、特許文献１参照）。
【先行技術文献】
【特許文献】
【０００３】
【特許文献１】特開２００２−３６４２７８号公報
【発明の概要】
【発明が解決しようとする課題】
【０００４】
特許文献１に記載の折りたたみ式足場台は、板状の天板の下側に梯子状支持脚が重なるように折りたたむことができるので、使用状態よりもコンパクトにすることができる。しかしながら、梯子状支持脚を折りたたんだ状態であっても、全体として板状の形状をしており、嵩張っていて持ち歩きにくい。【０００５】
例えば、写真撮影のための足場として利用するために、折りたたみ式足場台を携行したいというユーザの需要がある。しかしながら、特許文献１に記載の折りたたみ式足場台を含めて、市販の折りたたみ式足場台は、折りたたんだ状態であっても、全体として板状の形状を有している。そのため、折りたたんだ状態であっても嵩張っているので、ユーザが携行するには不向きである。【０００６】
本発明の目的は、持ち運びしやすい形状に折りたたむことができる折りたたみ式足場台を提供することである。
【課題を解決するための手段】
【０００７】
本発明の態様に従えば、
第１方向及び第１方向に直交する第２方向に広がる天板であって
裏面に凹状の第１空間が画成された第１天板、
前記第１天板に対して前記第１方向に並ぶように配置された第２天板であって、裏面に凹状の第２空間が画成された第２天板、及び
前記第１天板及び前記第２天板を、互いの裏面同士が近づくように回動可能に連結する蝶番を有する天板と、
前記天板の裏面の、前記第２方向の一端に設けられた第１脚部であって、前記第１天板の裏面に配置された第１脚及び前記第２天板の裏面に配置された第２脚を有する第１脚部と、
前記第１天板及び前記第２天板の前記裏面の、前記第２方向の前記一端に設けられ、前記第２脚を、前記第１天板の裏面までスライド移動可能にガイドする第１ガイドレールと、
前記天板の裏面の、前記第２方向の他端に設けられた第２脚部であって、前記第１天板の裏面に配置された第３脚及び前記第２天板の裏面に配置された第４脚を有する第２脚部と、
前記第１天板及び前記第２天板の前記裏面の、前記第２方向の前記他端に設けられ、前記第３脚を、前記第２天板の裏面までスライド移動可能にガイドする第２ガイドレールと、を備え、
前記第１脚及び前記第２脚は、前記第１天板の裏面に位置した状態で、前記第１天板の前記第１空間に収容可能に構成され、
前記第３脚及び前記第４脚は、前記第２天板の裏面に位置した状態で、前記第２天板の前記第２空間に収容可能に構成され、
前記天板は、前記第１脚及び前記第２脚が前記第１天板の前記第１空間に収容され、且つ、前記第３脚及び前記第４脚が前記第２天板の前記第２空間に収容された状態で、前記第１天板及び前記第２天板を互いの前記裏面が近づくように回動可能に構成されていることを特徴とする折りたたみ式足場台が提供される。
【発明の効果】
【０００８】
本発明の折りたたみ式足場台は、第１脚及び第２脚を、第１天板の下面の第１空間に収容でき、且つ、第３脚及び第４脚を第２天板の下面の第２空間に収容できる。さらに、その状態で天板を閉じることにより、第１〜第４脚を、閉状態の天板の内部空間に収容することができる。これにより、折りたたみ式足場台を、略角柱形状に折りたたむことができるため、持ち運びが容易になる。
【図面の簡単な説明】
【０００９】
【図１】図１は、折りたたみ式足場台１の使用状態を示す概略図である。
【図２】図２（ａ）は、折りたたみ式足場台１を前方から見た側面図であり、図２（ｂ）は、折りたたみ式足場台１を左方から見た側面図である。
【図３】図３は前脚２０Ｌをスライド移動させた場合を説明するための説明図である。
【図４】図４（ａ）は、踏ざん４０Ｕとガイドレール２２Ｌ、２３Ｌとの関係を説明するための部分断面図であり、図４（ｂ）は、踏ざん４０Ｄとガイドレール２２Ｌ、２３Ｌとの関係を説明するための部分断面図である。
【図５】図５（ａ）、（ｂ）は、折りたたみ式足場台１の折りたたみ状態を説明するための概略図である。
【図６】図６（ａ）、（ｂ）は、スライドレール１２Ｌを説明するための部分拡大図である。なお、図面を分かりやすくするために、図６（ａ）において、レール受け部材２５Ｌは実線で示されている。
【図７】図７は、変更形態にかかる折りたたみ式足場台１を説明するための概略図である。
【図８】図８（ａ）は天板１１０を開いた状態を説明するための図５（ａ）相当図であり、図８（ｂ）は、天板１１０を折りたたんだ状態を説明するための図５（ａ）相当図である。
【図９】図９（ａ）は天板２１０を開いた状態を説明するための図５（ａ）相当図であり、図９（ｂ）は、天板２１０を折りたたんだ状態を説明するための図５（ａ）相当図である。
【発明を実施するための形態】
【００１０】
本発明の実施形態に係る折りたたみ式足場台１について図面を参照しつつ説明する。なお、本明細書においては、図１において矢印で示される前後方向、左右方向、上下方向に基づいて各方向が定義される。
【００１１】
図１は、折りたたみ式足場台１の使用状態を示す概略図である。図２（ａ）は折りたたみ式足場台１を前方から見た側面図であり、図２（ｂ）は、折りたたみ式足場台１を左方から見た側面図である。図１に示されるように、本実施形態にかかる折りたたみ式足場台１は、天板１０と、２つの前脚２０（前脚２０Ｌ及び前脚２０Ｒ）と、２つの後脚３０（後脚３０Ｌ及び後脚３０Ｒ）と、前脚２０Ｌと後脚３０Ｌとの間に配置された２つの踏ざん４０（踏ざん４０Ｕ及び踏ざん４０Ｄ）と、前脚２０Ｒと後脚３０Ｒとの間に配置された２つの踏ざん５０（踏ざん５０Ｕ及び踏ざん５０Ｄ）とを主に備えている。
【００１２】
＜天板１０＞
天板１０は、第１天板１０Ｆと、第２天板１０Ｂと、天板１０Ｆ及び天板１０Ｂとを連結する蝶番１１（図５（ａ）、（ｂ）参照）と、２つのスライドレール１２Ｌ、１２Ｒ（図５（ｂ）参照）を有している。第１天板１０Ｆと第２天板１０Ｂとは、いずれも、上面視で、左右方向に長尺な長方形の形状を有している。第１天板１０Ｆと第２天板１０Ｂとはほぼ同じ大きさであり、第１天板１０Ｆは第２天板１０Ｂの前方に配置されている。図５（ａ）に示されるように、第１天板１０Ｆ及び第２天板１０Ｂはいずれも、略コの字の断面形状を有している。
【００１３】
図５（ｂ）に示されるように、左右方向に延在する蝶番１１は、第１天板１０Ｆの下面と第２天板１０Ｂの下面とを連結している。図５（ａ）に点線で示されるように、第２天板１０Ｂは、第１天板１０Ｆの上側に重なるように蝶番１１を中心にして回動することができる。逆に、第１天板１０Ｆが、第２天板１０Ｂの上側に重なるように蝶番１１を中心にして回動することもできる。以下の説明において、図５（ａ）において実線で示されるように、第１天板１０Ｆと第２天板１０Ｂとが左右方向に並ぶように配置されている状態を、天板１０が開いた状態（開状態）と呼び、図５（ｂ）において点線で示されるように、第１天板１０Ｆと第２天板１０Ｂとが上下方向に並ぶように配置されている状態を、天板１０が閉じた状態（閉状態）と呼ぶ。天板１０が開状態であるときには、第１天板１０Ｆの下面に凹状の第１空間Ｓ１が形成され、第２天板１０Ｂの下面に凹状の第２空間Ｓ２が形成されている。天板１０が閉状態であるときには、第１天板１０Ｆと第２天板１０Ｂとが、内部空間Ｓを有する中空の角柱を構成する。つまり、第１天板１０Ｆの下面の凹状の第１空間Ｓ１と、第２天板１０Ｂの下面の凹状の第２空間Ｓ２とが繋がって、内部空間Ｓが形成される。
【００１４】
図５（ｂ）、図６（ａ），（ｂ）に示されるように、天板１０の裏側の左端部には、前後方向に延びるスライドレール１２Ｌが設けられている。天板１０の裏側の右端部には、前後方向に延びるスライドレール１２Ｒが設けられている（図５（ｂ）参照）。後述のように、スライドレール１２Ｌには、前脚２０Ｌがスライド移動可能に取り付けられている。前脚２０Ｌは天板１０Ｆの左前角部から、前後方向において後脚３０Ｌに近づく向きに、スライドレール１２Ｌに沿ってスライド移動することができる。また、スライドレール１２Ｒには、後脚３０Ｒがスライド移動可能に取り付けられている。後脚３０Ｒは天板１０Ｂの右後角部から、前後方向において前脚２０Ｒに近づく向きに、スライドレール１２Ｒに沿ってスライド移動することができる。
【００１５】
＜前脚２０、後脚３０＞
図１、２（ａ），２（ｂ）に示されるように、天板１０の下側には、前脚２０（前脚２０Ｌ及び前脚２０Ｒ）と、後脚３０（後脚３０Ｌ及び後脚３０Ｒ）とが設けられている。前脚２０Ｌと後脚３０Ｌとは、前後方向において向かい合うように配置されている。前脚２０Ｌと後脚３０Ｌとが、本発明の第１脚部の一例である。なお、前脚２０Ｌと後脚３０Ｌとは、前後方向における両者の間隔が、下方において広がるようにわずかにハの字形になっていてもよい。前脚２０Ｌは、後脚３０Ｌと対向する端が開いた略コの字状の断面形状を有している（図４（ａ），（ｂ）参照）。同様に、後脚３０Ｌは、前脚２０Ｌと対向する端が開いた略コの字状の断面形状を有している。前脚２０Ｌ及び後脚３０Ｌの内部には、上下方向に長い内部空間が画成されている。図２（ｂ）に示されるように、前脚２０Ｌの内側には、上下方向に延びる２つのガイドレール２２Ｌ、２３Ｌが形成されている。ガイドレール２２Ｌ及びガイドレール２３Ｌは前後方向に並んでおり、ガイドレール２３Ｌはガイドレール２２Ｌの前方に位置する。前脚２０Ｌ及び後脚３０Ｌと同様に、前脚２０Ｒと後脚３０Ｒとは、前後方向において向かい合うように配置されている。前脚２０Ｒと後脚３０Ｒとが、本発明の第２脚部の一例である。前脚２０Ｒと後脚３０Ｒとは、前後方向における両者の間隔が、下方において広がるようにわずかにハの字形になっていてもよい。前脚２０Ｒ及び後脚３０Ｒは、いずれも、互いに向かい合う端が開いた略コの字状の断面形状を有している。前脚２０Ｒ及び後脚３０Ｒの内部にも、上下方向に長い内部空間が画成されている。後脚２０Ｒの内側には、前脚２０Ｌと同様の２つのガイドレールが形成されている。
【００１６】
天板１０のスライドレール１２Ｌには前脚２０Ｌが設けられている。前脚２０Ｌにはヒンジ２１Ｌ（図５（ｂ）、図６（ａ），（ｂ）参照）が設けられており、ヒンジ２１Ｌを中心にして前脚２０Ｌを天板１０に向かって倒すことができる。図６（ａ），（ｂ）に示されるように、ヒンジ２１Ｌの上部には、レール受け部材２５Ｌが設けられている。レール受け部材２５Ｌは略直方体の部材であり、スライドレール１２Ｌにスライド可能に支持されている。レール受け部材２５Ｌがスライドレール１２Ｌに沿って左右方向にスライド移動することにより、上述のように、前脚２０Ｌは第１天板１０Ｆの左前角部から、前後方向において後脚３０Ｌに近づく向きに、スライドレール１２Ｌに沿ってスライド移動することができる。第２天板１０Ｂの左後角部には、後脚３０Ｌが設けられている。後脚３０Ｌにはヒンジ３１Ｌ（図５（ｂ）参照）が設けられており、ヒンジ３１Ｌを中心にして後脚３０Ｌを天板１０に向かって倒すことができる。なお、ヒンジ３０Ｌにはレール受け部材は設けられていない。第１天板１０Ｆの右前角部には前脚２０Ｒが設けられている。前脚２０Ｒにはヒンジ２１Ｒが設けられており、ヒンジ２１Ｒを中心にして前脚２０Ｒを天板１０に向かって倒すことができる。天板１０のスライドレール１２Ｒには、後脚３０Ｒがスライド移動可能に設けられている。後脚３０Ｒにはヒンジ３１Ｒが設けられており、ヒンジ３１Ｒを中心にして後脚３０Ｒを天板１０に向かって倒すことができる。図示されていないが、ヒンジ３１Ｒには、レール受け部材２５Ｌと同様の部材が設けられており、上述のように、後脚３０Ｒは天板１０Ｆの右後角部から、前後方向において前脚２０Ｒに近づく向きに、スライドレール１２Ｒに沿ってスライド移動することができる。
【００１７】
＜踏ざん４０Ｕ、４０Ｄ＞
踏ざん４０Ｕ、４０Ｄと、前脚２０Ｌと、後脚３０Ｌとの位置関係について図３、４等を参照しつつ説明する。なお、踏ざん５０Ｕ、５０Ｄと、前脚２０Ｒと、後脚３０Ｒとの位置関係は、前後方向に対称であることを除いて同じであるため、説明を省略する。
【００１８】
図１、２（ｂ）に示されるように、前脚２０Ｌと後脚３０Ｌとの間には、前後方向に延びる２つの踏ざん４０Ｕ、４０Ｄが設けられている。踏ざん４０Ｕは踏ざん４０Ｄの上方に配置されている。なお、前脚２０Ｌと後脚３０Ｌとの、前後方向における間隔が、下方において上方よりも広がるようにわずかにハの字形になっていることに応じて、踏ざん４０Ｄの前後方向の長さは踏ざん４０Ｕの前後方向の長さよりも長くなっている。
【００１９】
上述のように、前脚２０Ｌ及び後脚３０Ｌは、いずれも、互いに向かい合う端が開いた略コの字状の断面形状を有しており、前脚２０Ｌ及び後脚３０Ｌの内部には、上下方向に長い内部空間が画成されている。踏ざん４０Ｕの前端部は、前脚２０Ｌの内部空間に挿入され、踏ざん４０Ｕの後端部は後脚３０Ｌの内部空間に挿入されている。図３に示されるように、踏ざん４０Ｕの後端部はリベット４１が設けられている。踏ざん４０Ｕはリベット４１Ｕを中心に回動可能に後脚３０Ｌに取り付けられている。図４（ａ）に示されるように、踏ざん４０Ｕの前端部にはガイドローラ４２Ｕが設けられている。ガイドローラ４２Ｕはガイドレール２２Ｌに取り付けられている。ガイドローラ４２Ｕはガイドレール２２Ｌに沿って上下方向に移動することができる。なお、図２（ｂ）、図３、図４（ａ）、図４（ｂ）に示されるように、ガイドレール２２Ｌには、踏ざん４０Ｕの前端部が水平方向よりも下に移動することを防止するためのストッパ４４Ｕが設けられている。
【００２０】
図３に示されるように、踏ざん４０Ｄの後端部はリベット４１Ｄが設けられている。踏ざん４０Ｄはリベット４１Ｄを中心に回動可能に後脚３０Ｌに取り付けられている。図４（ｂ）に示されるように、踏ざん４０Ｄの前端部にはガイドローラ４２Ｄが設けられている。ガイドローラ４２Ｄはガイドレール２３Ｌに取り付けられている。ガイドローラ４２Ｄはガイドレール２３Ｌに沿って上下方向に移動することができる。なお、図２（ｂ）、図３、図４（ａ）、図４（ｂ）に示されるように、ガイドレール２３Ｌには、踏ざん４０Ｄの前端部が水平方向よりも下に移動することを防止するためのストッパ４４Ｄが設けられている。なお、踏ざん４０Ｄのガイドローラ４２Ｄは、ガイドレール２３Ｌに取り付けられているので、ガイドレール２２Ｌに取り付けられているストッパ４４Ｕと干渉しない。同様に、踏ざん４０Ｕのガイドローラ４２Ｕは、ガイドレール２２Ｌに取り付けられているので、ガイドレール２３Ｌに取り付けられているストッパ４４Ｄと干渉しない。
【００２１】
上述のように、前脚２０Ｌを前後方向において後脚３０Ｌに近づく向きに、スライドレール１２Ｌに沿ってスライド移動することができる。それと同時に、踏ざん４０Ｕ、４０Ｄをリベット４１Ｕ、４１Ｄを中心にして上方に回動させることにより、ガイドローラ４２Ｕをガイドレール２２Ｌに沿って上方に移動させることができ、ガイドローラ４２Ｄをガイドレール２３Ｌに沿って上方に移動させることができる。これにより、図３に示されるように、踏ざん４０Ｕ、４０Ｄを、前脚２０Ｌ及び後脚３０Ｌの内部空間に収容しつつ、前脚２０Ｌ及び後脚３０Ｌの両方を第２天板１０Ｂの下側に位置づけることができる。この状態で、前脚２０Ｌ及び後脚３０Ｌを第２天板１０Ｂに向かって倒すことにより、前脚２０Ｌ及び後脚３０Ｌを第２天板１０Ｂの下面の凹状の第２空間Ｓ２に収容することができる（図５（ａ），（ｂ）参照）。同様にして、前脚２０Ｒ及び後脚３０Ｒを第１天板１０Ｆの下面の凹状の第１空間Ｓ１に収容することができる（図５（ａ），（ｂ）参照）。この状態で天板１０を閉じることにより、２つの前脚２０と２つの後脚３０とを、閉状態の天板１０の内部空間Ｓに収容することができる。
【００２２】
＜本実施形態の効果＞
本実施形態の折りたたみ式足場台１は、前脚及び後脚の１組を、第１天板の下面の第１空間に収容でき、且つ、前脚及び後脚のもう１組を第２天板の下面の第２空間に収容できる。さらに、その状態で天板を閉じることにより、２組の前脚及び後脚を、閉状態の天板の内部空間に収容することができる。これにより、折りたたみ式足場台を、略角柱形状に折りたたむことができるため、持ち運びが容易になる。この場合において、天板１０も半分に折りたたむことができるため、折りたたみ式足場台をコンパクトに折りたたむことができる。
【００２３】
上述の実施形態においては、折りたたみ式足場台１を使用状態にしたとき、天板１０の下側に蝶番１１が位置している。蝶番１１の部分においては、第１天板１０Ｆの左右方向に延在する壁面と、第２天板１０Ｂの左右方向に延在する壁面とが重なっている。そのため、蝶番１１、第１天板１０Ｆの左右方向に延在する壁面、及び第２天板１０Ｂの左右方向に延在する壁面が天板１０を補強する補強部材として機能するため、使用状態において、天板１０にかかる荷重をこれらの部分で受けることができ、天板１０の耐荷重を大きくすることができる。
【００２４】
＜変更形態＞
本発明に係る折りたたみ式足場台の構成は上記の実施形態における構成に限られず、種々の変更を行うことができる。例えば、上記実施形態においては、折りたたみ式足場台１の左側及び右側に、それぞれ２つずつ踏ざんが設けられていたが、踏ざんの配置及び数はこのような構成には限られない。例えば、折りたたみ式足場台１の左側及び右側に、それぞれ１つずつ踏ざんが設けられていてもよく、それぞれ３つ以上の踏ざんが設けられていてもよい。踏ざんの長さは同じであってもよい。また、折りたたみ式足場台１の左側及び右側の踏ざんの数は一致してなくてもよい。また、折りたたみ式足場台１の左側及び右側の一方にのみ踏ざんが設けられてもよい。
【００２５】
上記の実施形態においては、前脚２０Ｒ及び後脚３０Ｌは前後方向にスライド移動可能でなかったが、前脚２０Ｒ及び後脚３０Ｌも前後方向にスライド移動可能に構成されていてもよい。
【００２６】
また、踏ざんの前後方向の一端は、前脚または後脚の一方に回動可能に取り付けられ、踏ざんの前後方向の他端は、前脚または後脚の他方の内部に形成されたガイドレールに沿って上下方向にスライド移動可能に設けられていた。２つの踏ざんに対して、２本のガイドレールが設けられていたが、本発明はこのような形態には限られず、１本のガイドレールに２つの踏ざんが取り付けられていてもよい。例えば、図７に示されるように、前脚１２０Ｌに一つのガイドレール（不図示）と、ガイドレールに沿って上下方向に移動するスライド支柱１２６が設けられていてもよい。踏ざん１４０Ｕの前端部は、スライド支柱１２６に設けられたリベット１４８Ｕにより回動可能にスライド支柱１２６に取り付けられている。踏ざん１４０Ｄの前端部は、スライド支柱１２６に設けられたリベット１４８Ｄにより、回動可能にスライド支柱１２６に取り付けられている。なお、スライド支柱１２６には、スライド支柱１２６の長手方向（上下方向）に延在するスリット１２６Ｓが形成されており、リベット１４８Ｄはスリット１２６Ｓに沿って上下方向にスライド移動可能である。これにより、踏ざん１４０Ｄの前端部は、スライド支柱１２６のスリット１２６Ｓに沿ってスライド移動することも可能である。
【００２７】
スライド支柱１２６には、スリット１２６Ｓが設けられているので、踏ざん１４０Ｄの前端部は、スライド支柱１２６とともに上方にスライド移動できるとともに、さらに、スリット１２６Ｓに沿って上方にスライド移動できる。これにより、仮に踏ざん１４０Ｄが踏ざん１４０Ｕよりも長い場合であっても、２つの踏ざんの長さの差を吸収することができる。これにより、踏ざん１４０Ｕ、１４０Ｄを前脚１２０Ｌ及び後脚１３０Ｌの内部空間に収容することができる。なお、図示は省略するが、前脚１２０Ｌ及び後脚１３０Ｌと左右方向に向かい合う前脚及び後脚に対しても、同様の構成を採用することができる。
【００２８】
上記実施形態においては、天板１０は、互いに連結された２つの天板（第１天板１０Ｆと第２天板１０Ｂ）を有していた。しかしながら、本発明はそのような形態には限られず、天板が互いに連結された３つ以上の天板を有していてもよい。
【００２９】
一例として、図８（ａ），（ｂ）に示されるように、天板１１０が３つの天板（第１天板１１０Ｆ、第２天板１１０Ｃ、第３天板１１０Ｂ）を有してもよい。第１天板１１０Ｆは第２天板１１０Ｃの前方に配置されている。第２天板１１０Ｃは第３天板１１０Ｂの前方に配置されている。つまり、第２天板１１０Ｃは、前後方向において、第１天板１１０Ｆと第３天板１１０Ｂとの間に位置している。また、図８（ａ）に示されるように、第１天板１１０Ｆ、第２天板１１０Ｃ、第３天板１１０Ｂはいずれも、略コの字の断面形状を有している。第１天板１１０Ｆと第２天板１１０Ｃとは、蝶番１１１Ａにより連結され、第２天板１１０Ｃと第３天板１１０Ｂとは、蝶番１１１Ｂにより連結されている。図８（ｂ）に示されるように、第１天板１１０Ｆは、第２天板１１０Ｃの上側に重なるように蝶番１１１Ａを中心にして回動することができる。さらに、第３天板１１０Ｂは、第１天板１１０Ｆの上側に重なるように蝶番１１１Ｂを中心にして回動することができる。このとき、第３天板１１０Ｂの下側に収容された前脚２０Ｌと後脚３０Ｌは、第１天板１１０Ｆ及び第２天板１１０Ｃよりも前方に位置する。このように天板を折りたたむことにより、折りたたみ式足場台を、コンパクトに折りたたむことができるため、持ち運びが容易になる。
【００３０】
別の例として、図９（ａ），（ｂ）に示されるように、天板２１０が３つの天板（第１天板２１０Ｆ、第２天板２１０Ｃ、第３天板２１０Ｂ）を有してもよい。第１天板２１０Ｆは第２天板２１０Ｃの前方に配置されている。第２天板２１０Ｃは第３天板２１０Ｂの前方に配置されている。つまり、第２天板２１０Ｃは、前後方向において、第１天板２１０Ｆと第３天板２１０Ｂとの間に位置している。また、図９（ａ）に示されるように、第１天板２１０Ｆ、第２天板２１０Ｃ、第３天板２１０Ｂはいずれも、略コの字の断面形状を有している。第１天板２１０Ｆと第２天板２１０Ｃとは、蝶番２１１Ａにより連結され、第２天板２１０Ｃと第３天板２１０Ｂとは、蝶番２１１Ｂにより連結されている。図９（ｂ）に示されるように、第１天板２１０Ｆは、第２天板２１０Ｃの上側に重なるように蝶番２１１Ａを中心にして回動することができる。さらに、第３天板２１０Ｂは、第１天板２１０Ｆの上側に重なるように蝶番２１１Ｂを中心にして回動することができる。このとき、第３天板２１０Ｂの下側に収容された前脚２０Ｌと後脚３０Ｌは、第１天板２１０Ｆ及び第２天板１１０Ｃの上方に位置する。このように天板を折りたたむことにより、折りたたみ式足場台を、コンパクトに折りたたむことができるため、持ち運びが容易になる。
【００３１】
なお、上記の実施形態及びその変更形態は、適宜組み合わせることもできる。例えば、図７に示されるようなスライド支柱１２６を有する前脚１２０Ｌの構成と、図８（ａ），（ｂ）及び図９（ａ），（ｂ）に示されるような３つ以上の天板を有する構成とを組み合わせることもできる。
【００３２】
本発明に係る折りたたみ式足場台の形状、材質等は、特定のものには限定されず、適宜変更しうる。例えば、折りたたみ式脚立は、鉄製であってもよく、アルミ製であってもよい。必ずしも金属材料で形成されていなくてもよく、例えば、木材、プラスチックなどの非金属材料で形成することもできる。また、金属材料と非金属材料とを適宜組み合わせることもできる。
【００３３】
１          折りたたみ式足場台
１０        天板
２０        前脚
３０        後脚
４１、４２  踏ざん
【図１】
0006887188.tif 000002
【図２】
0006887188.tif 000003
【図３】
0006887188.tif 000004
【図４】
0006887188.tif 000005
【図５】
0006887188.tif 000006
【図６】
0006887188.tif 000007
【図７】
0006887188.tif 000008
【図８】
0006887188.tif 000009
【図９】
0006887188.tif 000010